(57)【要約】【課題】洗浄装置を大きくすることなく、ウエハ、ガラス、金属等に付着した有機物や異物を確実に除去することを可能にする。【解決手段】液体を加熱して水蒸気を生成するための第１の加熱手段（３）と該第１の加熱手段（３）により生成された水蒸気を更に加熱することにより亜臨界の放射性ガスを製造するための第２の加熱手段（４）とを具備した放射性ガス生成手段（２）と、該放射性ガス生成手段（２）により製造された放射性ガスを被洗浄物上に噴射するためのガス噴射手段（５）と、被洗浄物上に洗浄水の被膜を形成するための洗浄液供給手段（６）とを備え、放射性ガス生成手段（２）により亜臨界の放射性ガスを生成するとともに、搬送手段により搬送されてきた被洗浄物上に洗浄水の被膜を形成し、この洗浄水の被膜上から前記被洗浄物に前記放射性ガスを吹き付けることを特徴とする。【選択図】図１
2006026549.tif 000002
【特許請求の範囲】
【請求項１】
液体を加熱することにより生成した蒸気を更に加熱することにより亜臨界の放射性ガスを生成するとともに、この生成した放射性ガスを被洗浄物に吹き付ける、ことを特徴とする洗浄方法。
【請求項２】
請求項１に記載の洗浄方法を実施するための洗浄装置であって、
液体を加熱して蒸気を生成するための第１の加熱手段（３）と、該第１の加熱手段（３）により生成された蒸気を更に加熱することにより亜臨界の放射性ガスを製造するための第２の加熱手段（４）とを具備した放射性ガス生成手段（２）と、
該放射性ガス生成手段（２）により製造された放射性ガスを被洗浄物に噴射するためのガス噴射手段（５）と、を備えたことを特徴とする洗浄装置。
【請求項３】
液体を加熱することにより生成した蒸気を更に加熱することにより亜臨界の放射性ガスを生成するとともに、搬送手段により搬送されてきた被洗浄物上に洗浄液を供給して被洗浄物上に洗浄液の被膜を形成し、この洗浄液の被膜上から前記被洗浄物に前記放射性ガスを吹き付ける、ことを特徴とする洗浄方法。
【請求項４】
請求項３に記載の洗浄方法を実施するための洗浄装置であって、
液体を加熱して蒸気を生成するための第１の加熱手段（３）と、該第１の加熱手段（３）により生成された蒸気を更に加熱することにより亜臨界の放射性ガスを製造するための第２の加熱手段（４）とを具備した放射性ガス生成手段（２）と、
被洗浄物（７）上に洗浄液の被膜（１０）を形成するための洗浄液供給手段（６）と、
該洗浄液供給手段（６）により形成された洗浄液の被膜（１０）を介して、前記被洗浄物（７）に前記放射性ガス生成手段（２）により製造された放射性ガスを噴射するためのガス噴射手段（５）と、を備えたことを特徴とする洗浄装置。
【請求項５】
液体を加熱することにより生成した蒸気を更に加熱することにより亜臨界の放射性ガスを生成するとともに、搬送手段により搬送されてきた被洗浄物上に洗浄液を供給して被洗浄物上に洗浄液の被膜を形成し、この洗浄液の被膜上から前記被洗浄物に前記放射性ガスを吹き付け、その後、前記被洗浄物上に高圧水を間欠的に吹き付けることを特徴とする洗浄方法。
【請求項６】
請求項５に記載の洗浄方法を実施するための洗浄装置であって、
液体を加熱して蒸気を生成するための第１の加熱手段（３）と、該第１の加熱手段（３）により生成された蒸気を更に加熱することにより亜臨界の放射性ガスを製造するための第２の加熱手段（４）とを具備した放射性ガス生成手段（２）と、
被洗浄物（７）上に洗浄液の被膜（１０）を形成するための洗浄液供給手段（６）と、
該洗浄液供給手段（６）により形成された洗浄液の被膜（１０）を介して、前記被洗浄物（７）に前記放射性ガス生成手段（２）により製造された放射性ガスを噴射するためのガス噴射手段（５）と、
該ガス噴射手段（５）により前記放射性ガスを噴射した被洗浄物（７）に高圧水を間欠的に吹き付けるための高圧水噴射手段（１２）と、を備えたことを特徴とする洗浄装置。
【発明の詳細な説明】
【技術分野】
【０００１】
本発明は、液晶パネル製造、ＰＤＰパネル製造、有機ＥＬパネル製造、ＦＥＤパネル製造、プリント基板製造、半導体製造、フィルム製造、版製造その他電子機器部品等の製造工程において使用される洗浄方法及びそれを実施するための洗浄装置に係り、より詳しくは、蒸気を更に加熱した気体を被洗浄物に吹き付け、これにより、薬液を用いずに有機物、パーティクル等の除去を可能にしたことを特徴とした洗浄方法及びそれを実施するための洗浄装置に関する。
【背景技術】
【０００２】
近年のフラットパネルディスプレイ（液晶、ＰＤＰ、ＥＬ、ＦＥＤ等）半導体、プリント基板、フィルム、電子機器部品等の進歩の高精度化へは目覚しく、特にフラットパネルディスプレイの製造プロセス、高集積半導体素子の製造プロセスにおいては、より高度な超精密洗浄が必要とされている。
【０００３】
また、パターンの微細化、高集積化とともに、取り扱う液晶ガラス、ＰＤＰガラス、シリコンウエハは大型化しており、液晶ガラスでは１８７０×２２００ｍｍ、ＰＤＰガラスでは２１５０×２３５０ｍｍ、シリコンウエハでは３００ｍｍ径へと移行する現状にあるが、洗浄は、全工程の４０〜６０％を占め、歩留まり向上に重要な役割を担うプロセスとなっている。
【０００４】
しかしながら、従来は有機物やパーティクルを有効に除去可能な洗浄方法は提供されていなかった。
【０００５】
即ち、従来の洗浄方法としては、ブラシ洗浄、超音波洗浄、高圧スプレー洗浄、シャワー洗浄、２流体洗浄、化学洗浄等が採用されていたが、まず、ブラシ洗浄では、例えば被洗浄物が大きくて薄いガラスの場合には、ブラシの自動制御を行った場合でも均一にパーティクルを除去することが困難であり、また、ブラシの磨耗やブラシの調整の仕方によってはブラシ洗浄後に洗浄むらが出来てしまうという問題点が指摘されている。
【０００６】
また、超音波洗浄では、周波数によって除去するパーティクルの大きさが異なるために、複数の超音波洗浄機を用意しなければならず、また、同一部分に３分以上の振動を与えないとパーティクルが剥離しないために、装置が長くなるという問題点がある。
【０００７】
更に、高圧スプレー洗浄、シャワースプレー洗浄、２流体洗浄では、液体を連続して被洗浄物に当てるために、液膜が被洗浄物上に形成されてしまい、洗浄液の衝突エネルギーを液膜が干渉して吸収してしまうという問題点が指摘されている。また、高圧スプレー洗浄では、被洗浄物によっては割れることもあり、更にシャワースプレー洗浄では、液体が液膜を形成してしまい、そのために多くのパーティクルを除去することは望めないという問題点が考えられる。
【０００８】
更にまた、化学洗浄で有機物を除去する場合には、薬品を常温または温度を上げた状態にして洗浄し、その後はこの薬品を水洗いしなければならず、工程が多くなってしまうという問題点が考えられる。
【発明の開示】
【発明が解決しようとする課題】
【０００９】
そこで、本発明は、洗浄装置を大きくすることなく、ウエハ、ガラス、金属等に付着した有機物や異物を確実に除去することを可能とした洗浄方法及びそれを実施するための洗浄装置を提供することを課題としている。
【課題を解決するための手段】
【００１０】
請求項１に記載の本発明の洗浄方法は、液体を加熱することにより生成した蒸気を更に加熱することにより亜臨界の放射性ガスを生成するとともに、搬送手段により搬送されてきた被洗浄物上に前記放射性ガスを吹き付ける、ことを特徴としており、この方法を実施するための請求項２に記載の本発明の洗浄装置は、液体を加熱して蒸気を生成するための第１の加熱手段と該第１の加熱手段により生成された蒸気を更に加熱することにより亜臨界の放射性ガスを製造するための第２の加熱手段とを具備した放射性ガス生成手段と、前記被洗浄物に前記放射性ガス生成手段により製造された放射性ガスを噴射するためのガス噴射手段と、を備えたことを特徴としている。
【００１１】
請求項３に記載の本発明の洗浄方法は、液体を加熱することにより生成した蒸気を更に加熱することにより亜臨界の放射性ガスを生成するとともに、搬送手段により搬送されてきた被洗浄物上に洗浄液を供給して被洗浄物上に洗浄液の被膜を形成し、この洗浄液の被膜上から前記被洗浄物に前記放射性ガスを吹き付ける、ことを特徴としており、この方法を実施するための請求項４に記載の本発明の洗浄装置は、液体を加熱して蒸気を生成するための第１の加熱手段と該第１の加熱手段により生成された蒸気を更に加熱することにより亜臨界の放射性ガスを製造するための第２の加熱手段とを具備した放射性ガス生成手段と、被洗浄物上に洗浄液の被膜を形成するための洗浄液供給手段と、該洗浄液供給手段により形成された洗浄液の被膜を介して、前記被洗浄物に前記放射性ガス生成手段により製造された放射性ガスを噴射するためのガス噴射手段と、を備えたことを特徴としている。
【００１２】
請求項５に記載の本発明の洗浄方法は、液体を加熱することにより生成した蒸気を更に加熱することにより亜臨界の放射性ガスを生成するとともに、搬送手段により搬送されてきた被洗浄物上に洗浄液を供給して被洗浄物上に洗浄液の被膜を形成し、この洗浄液の被膜上から前記被洗浄物に前記放射性ガスを吹き付け、その後、前記被洗浄物上に高圧水を間欠的に吹き付けることを特徴としており、この方法を実施するための請求項６に記載の本発明の洗浄装置は、液体を加熱して蒸気を生成するための第１の加熱手段と該第１の加熱手段により生成された蒸気を更に加熱することにより亜臨界の放射性ガスを製造するための第２の加熱手段とを具備した放射性ガス生成手段と、被洗浄物上に洗浄液の被膜を形成するための洗浄液供給手段と、該洗浄液供給手段により形成された洗浄液の被膜を介して、前記被洗浄物に前記放射性ガス生成手段により製造された放射性ガスを噴射するためのガス噴射手段と、該ガス噴射手段により前記放射性ガスを噴射した被洗浄物に高圧水を間欠的に吹き付けるための高圧水噴射手段と、を備えたことを特徴としている。
【発明の効果】
【００１３】
本発明者らの実験によると、液体を加熱することによりできる蒸気を更に加熱して得られる亜臨界の放射性ガスを被洗浄物上に吹き付けると、被洗浄物に付着している油分、パーティクル等を容易に除去することが可能であることがわかった。そのために、この、液体を加熱することによりできる蒸気を更に加熱して得られる放射性ガスを被洗浄物上に吹き付ける本発明によれば、薬品等を用いずに被洗浄物に付着した有機物、パーティクルを除去することが可能である。また、本発明で用いる亜臨界の放射性ガスは、液体を加熱することにより生成した蒸気を当該液体の臨界温度前後の温度で加熱することのみにより製造するため、超臨界のガスを製造する場合と異なり、液体に圧力を加えこと無く製造可能であり、コストを抑えることもできる。
【００１４】
また、このときに、被洗浄物に洗浄液を流して被洗浄物上に洗浄液の被膜を形成し、この被膜の上から前記ガスを被洗浄物に吹き付けることにより、高温のガスを直接吹き付けることによる被洗浄物の表面変質等を防止することも可能である。
【００１５】
更に、このようにして洗浄液の被膜の上からガスを吹き付けた被洗浄物上に高圧の水を間欠的に吹き付けることにより、より効果的に被洗浄物に付着している異物を除去することが可能である。
【発明を実施するための最良の形態】
【００１６】
本発明の洗浄方法では、まず、水、液化炭酸等の液体を加熱することで蒸気を作り、次に、この蒸気を更に、対象となる液体の臨界温度に近い温度で加熱し、これにより、亜臨界の放射性ガスを製造する。
【００１７】
そして、それとともに、まず、搬送手段により搬送されてきた被洗浄物上に純水等の洗浄液を流して被洗浄物上に洗浄液の被膜を形成し、次に、この洗浄液の被膜の上から、被洗浄物に向けて、前記放射性ガスを吹き付ける。
【００１８】
そして更に、適宜、放射性ガスを吹き付けた被洗浄物に向けて、高圧の水をシャワー状かつ間欠的に吹き付ける。
【００１９】
次に、本発明の洗浄装置では、水蒸気を製造するための第１の加熱手段を有しており、この第１の加熱手段には、第１の加熱手段により作られた水蒸気を更に加熱するための第２の加熱手段が連結され、この第１の加熱手段と第２の加熱手段により放射性ガス製造手段が構成されている。
【００２０】
また、この放射性ガス製造手段には、製造された放射性ガスを被洗浄物に向けて放射するためのガス噴射手段が連結されており、このガス噴射手段は、使用に際しては搬送手段上の被洗浄物に向けてガスを噴射可能に配設される。
【００２１】
更に、本発明の洗浄装置では、搬送手段により搬送されてきた被洗浄物の上に純水等の洗浄液を流し、被洗浄物上に洗浄液の被膜を形成するための洗浄液供給手段を備えており、この洗浄液供給手段は、前記ガス噴射手段に対して反搬送方向側に配置され、これにより、被洗浄物上に洗浄液の被膜を形成した状態で被洗浄物上に放射性ガスを噴射可能としている。
【００２２】
ここで、前記ガス噴射手段に対して搬送方向側に、放射性ガスを吹き付けた被洗浄物に向けて、高圧水をシャワー状かつ間欠的に吹き付けるための高圧水噴射手段を備えると良く、これにより、被洗浄物に付着した異物をより効果的に除去することが可能である。
【実施例１】
【００２３】
本発明の洗浄装置の実施例について図面を参照して説明すると、図１は本実施例を説明するためのフローチャートであり、本実施例の洗浄方法においては、まず、ステップ１において、液体を加熱することにより蒸気を生成する。
【００２４】
なお、蒸気の生成方法は特に限定されないが、例えばボイラー、誘導加熱方法等を用いるとよい。また、液体としては、水、液化炭酸等が好ましい。
【００２５】
次に、ステップ２において、前記生成した蒸気を更に加熱し、これにより放射性ガスを製造する。なお、加熱する温度としては、用いる液体の臨界温度に近い温度にするとよく、従って、水を用いた場合には３７０度前後以上の高温にするとよく、また液化炭酸を用いた場合には３１度前後以上にするとよい。
【００２６】
即ち、本発明者らの実験によると、このように、液体を加熱して生成した蒸気を、更にその液体の臨界温度に近い温度で加熱すると、蒸気が分子レベルに分解され、超臨界状態に近い亜臨界の放射性ガスに変化し、この放射性ガスを被洗浄物に吹き付けることにより、被洗浄物に付着している有機物やパーティクルを有効に除去可能なことがわかった。そこで、本実施例の洗浄方法では、水、液化炭酸等の液体を加熱して蒸気を生成した後に、この蒸気を更に、用いた液体の臨界温度に近い温度で加熱し、このようにしてできた亜臨界の放射性ガスを被洗浄物に吹き付けることにより被洗浄物に付着した有機物、パーティクル等を除去可能としている。
【００２７】
即ち、ステップ３において、コンベア等の搬送手段により被洗浄物を所定の位置に搬送し、その後ステップ４において、搬送されてきた被洗浄物上に洗浄液を流し、これにより被洗浄物上に洗浄液による被膜を形成する。なお、洗浄液の種類は限定されないが、例えば、純水、純水に微量の界面活性剤等を混ぜ合わせたものが好ましい。
【００２８】
次に、ステップ５において、前記製造した放射性ガスを、洗浄液による被膜の上から被洗浄物に吹き付け、これにより被洗浄物に付着している有機物、パーティクル等を除去する。
【００２９】
そうすると、亜臨界の放射性ガスの熱運動と高浸透性によって、被洗浄物に付着している有機物やパーティクルを容易に除去することができる。
【００３０】
そして、このとき、本実施例の洗浄方法では、被洗浄物にまず洗浄液を流して被洗浄物上に洗浄液による被膜を形成して、この被膜を介して被洗浄物に前記放射性ガスを吹き付けるために、高温の放射性ガスを直接吹き付けることによる被洗浄物の表面変質等を防止することも可能である。
【００３１】
但し、必ずしも洗浄液による皮膜を被洗浄物上に形成する必要は無い。即ち、本実施例においては、液体を加熱することにより生成した蒸気を、前記液体の臨界温度に近い温度で加熱し、これにより亜臨界の放射性ガスを製造するが、例えば液化炭酸の場合の臨界温度は３１度前後と低いために、かかる場合には、直接この放射性ガスを被洗浄物に吹き付けても被洗浄物の表面変質等が起こらないため、洗浄液による皮膜を被洗浄物上に形成する必要はない。
【実施例２】
【００３２】
次に、このような洗浄方法を実施するための本発明の洗浄装置の実施例について図面を参照して説明すると、図２は本実施例の洗浄装置の概念図であり、本実施例の洗浄装置１ではまず、水、液化炭酸等の液体を蒸気にするとともに、この蒸気を更に加熱して亜臨界の放射性ガスを製造するための放射性ガス生成手段を備えている。即ち、図２において１が本実施例の洗浄装置であり、及び、図において２が放射性ガス生成手段である。
【００３３】
そして、前記放射性ガス生成手段２は、給水管３０１により供給されてきた水、液化炭酸等の液体を蒸気にするための第１の加熱手段３を有しており、本実施例においてこの第１の加熱手段３としてはボイラーを用いている。但し、必ずしもボイラーを用いて液体を蒸気化する必要はなく、誘導加熱により液体を加熱して蒸気化してもよい。
【００３４】
次に、この第１の加熱手段３には、第１の加熱手段３により作られた蒸気を、更に加熱するための第２の加熱手段４を備えている。そして、本実施例においてこの第２の加熱手段４は誘導加熱装置としている。
【００３５】
即ち、図３はこの誘導加熱装置４を示す図であり、この第２の加熱手段４は、ステンレス等の金属管４０１の内部に金属製の発熱体４０２を有しており、本実施例においてこの発熱体４０２としては、金属製、より詳しくはステンレス製の板をハニカム状にしたハニカムプレートを用いており、この発熱体４０２を複数枚、金属管４０１内に収容している。
【００３６】
そして、それとともに、前記金属管４０１の外周部にはワークコイル４０３を巻きつけてある。そして、この構成において、ワークコイル４０３に電流を流すことによってワークコイル４０３の周囲に磁界を発生させるとともに、発熱体であるハニカムプレート４０２に渦電流を発生させ、これによって発熱体４０２を発熱させる。そして、発熱体４０２を発熱させるとともに、図における矢印方向へ蒸気を移動させ、これにより、金属管４０１の内部で亜臨界の放射性ガスを製造することを可能としている。
【００３７】
次に、図２において５は、前記放射性ガス生成手段２により生成された放射性ガスを噴射するためのガス噴射手段であり、このガス噴射手段５は、使用に際しては、被洗浄物を搬送するコンベア等の搬送手段の上方に配置され、これにより、搬送されてきた被洗浄物上に前記放射性ガスを噴射可能にする。
【００３８】
ここで、図４は前記ガス噴射手段５の長手方向に向いた構造を示す端面図であり、本実施例において前記ガス噴射手段５は、図５にも示されるように、長尺形状であるとともに、その内部にはガス流路５０１が形成されているとともに、長手方向に沿った側壁には、等間隔を置いて、前記ガス流路５０１に連通したガス供給口５０２が複数個形成され、このガス供給口５０２に前記第２の加熱手段４が連結されている。
【００３９】
また、長手方向に沿って下端部には、前記ガス流路５０１に連通したスリット５０３が形成されており、これにより、ガス供給口５０２を介してガス流路５０１に供給された放射性ガスを、スリット５０３より噴射可能としている。
【００４０】
次に、図２において６は被洗浄物上に純水、液化炭酸等の洗浄液を供給するための洗浄液供給手段であり、本実施例では、この洗浄液供給手段６により、搬送手段により搬送されてきた被洗浄物上に、まず、洗浄液による被膜を形成することを特徴としている。
【００４１】
ここで、図５は、前記ガス噴射手段５と洗浄液供給手段６との位置関係を示す図であり、図において７は被洗浄物であり、また、８０２は、この被洗浄物７を搬送するための、搬送手段に具備されたローラーである。
【００４２】
そして、本実施例の洗浄装置１では、まず、被洗浄物７が移動してくる側に洗浄水供給手段６が配置され、この洗浄水供給手段６から見た被洗浄物の移動方向側にガス噴射手段５が配置される。そしてこの配置により、被洗浄物７上に洗浄液の被膜を形成し、この被膜を介して被洗浄物に放射性ガスを噴射可能としている。
【００４３】
なお、図において９は、洗浄水供給手段６とガス噴射手段５との間に配置された仕切り板である。即ち、本実施例においては、洗浄水供給手段６とガス噴射手段５との間に仕切り板９を備えるとともに、この仕切り板９の先端部を略鋭角状に形成し、仕切り板９の先端と被洗浄物との間に僅かな空間ができるようにして仕切り板９を配設している。そうすると、洗浄水供給手段６から被洗浄物７上に供給された洗浄液は、まず、仕切り板９の手前側に溜まっていき、被洗浄物７の移動とともに、洗浄物７との間の空間を介してガス噴射手段５側に流れていき、これにより、被洗浄物７上に均一に洗浄液による被膜を形成することが可能となる。そして本実施例においては、被洗浄物７上に形成される被膜厚が０．１〜１ｍｍ程度になるように、仕切り板９の先端の位置を調整している。但し、必ずしもこの仕切り板９は必要なものではなく、被洗浄物７上に洗浄液の被膜１０を形成可能であればよい。従って、洗浄水供給手段６から直接被洗浄物上に洗浄液を落下させてもよく、または、洗浄水供給手段６と被洗浄物との間に回動自在にローラーを介在させて、まず、ローラー上に洗浄液を落下させ、ローラーの回転にともなってローラー上に落下させた洗浄液を被洗浄物上に落下させ、これにより被洗浄物上に洗浄液の被膜を形成してもよい。
【００４４】
次に、このように構成される本実施例の洗浄装置１の作用について図６を参照して説明すると、本実施例の洗浄装置１によって被洗浄物の洗浄を行う場合には、搬送手段８上に被洗浄物７を載置した状態で、搬送手段８を駆動して、被洗浄物７を搬送していく。
【００４５】
なお、搬送手段８の構造等は特に限定されないが、本実施例においては、筺体８０１と、この筺体８０１に回動自在に備えた複数本の搬送用ローラー８０２と、この搬送用ローラー８０２を回動するためのモーター等の駆動手段（図示せず）を備えて、駆動手段を駆動させることによりローラー８０２を回転させ、これにより、ローラー８０２上に載置した被洗浄物を搬送可能としている。
【００４６】
そして、このような搬送手段８により被洗浄物を搬送するとともに、次に、洗浄液供給手段６より洗浄液を供給し、より詳しくはシャワー状に被洗浄物７上に洗浄液を噴射させていく。そうすると、まず、供給された洗浄液は仕切り板９の手前側に溜まっていくとともに、被洗浄物７との間の空間を介して、被洗浄物の搬送とともにガス噴射手段５側へ滲みだしていき、これにともない、被洗浄物７は、その上に洗浄液の被膜１０が形成された状態でガス噴射手段５の近傍に搬送されていく。
【００４７】
一方、放射性ガス生成手段２においては、まず、第１の加熱手段３において、供給されてきた液体が蒸気にされ、更に、この蒸気が、第２の加熱手段４において加熱され、これにより亜臨界の放射性ガスが生成される。
【００４８】
そして、この放射性ガスは、ガス噴射手段５によって、洗浄液の被膜が形成された状態で搬送されてきた被洗浄物７上に噴射される。そうすると、噴射された放射性ガスによって洗浄液が加熱されるとともに、被洗浄物に付着されている有機物やパーティクル等の異物が除去される。
【００４９】
このように、本実施例の洗浄装置１によれば、特に大きな設備を必要とすることなく、蒸気を更に加熱して得られる亜臨界の放射性ガスを用いての被洗浄物の洗浄を行うことが可能となる。
【００５０】
なお、洗浄液供給手段６及び仕切り板９は必ずしも必要なものではなく、被洗浄物上に洗浄液の被膜を形成する必要が無い場合には、洗浄液供給手段６及び仕切り板９を備える必要はない。
【実施例３】
【００５１】
次に、本発明の洗浄方法の他の実施例について図７のフローチャートを参照して説明すると、本実施例の洗浄方法では、前述した洗浄方法の実施例の工程の後に、更に、被洗浄物へ向けて、間欠的に高圧水の噴射を行うことを特徴としている。
【００５２】
即ち、ステップ１１において液体を加熱することにより蒸気を生成し、ステップ１２において、前記生成した蒸気を更に加熱して放射性ガスを製造し、一方、ステップ１３においてコンベア等の搬送手段により被洗浄物を所定の位置に搬送し、その後ステップ１４において搬送されてきた被洗浄物上に洗浄液を流して被洗浄物上に洗浄液による被膜を形成し、ステップ１５において洗浄液による被膜の上から前記製造した放射性ガスを被洗浄物に吹き付け、その後、ステップ１６において、放射性ガスを吹き付けた後の被洗浄物に向けて、高圧水を噴射する。
【００５３】
そして、この高圧水の噴射に際しては、高圧水を、シャワー的に、かつ、間欠的に噴射することを特徴としている。
【００５４】
このように、本実施例の洗浄方法によれば、前述した洗浄方法の実施例に加えて、更に、被洗浄物に対して、高圧水を、間欠的かつシャワー的に噴射するために、より効果的に被洗浄物に付着した異物を除去することが可能となる。
【実施例４】
【００５５】
次に、このような洗浄方法を実施するための洗浄装置の実施例について説明すると、図８は本実施例の洗浄装置１１の概念図であり、また、図９は、本実施例の洗浄装置１を構成する要素の位置関係を示す図である。そして、本実施例の洗浄装置１では、前述した洗浄装置の実施例に、更に、ガス噴射手段５により放射性ガスを噴射した被洗浄物７に高圧水を吹き付けるための高圧水噴射手段１２を備えている。
【００５６】
即ち、図において１２が高圧水噴射手段であり、この高圧水噴射手段１２は、前記ガス噴射手段５に対して被洗浄物７の搬送方向に配置されており、高圧水供給管１２０１を介して、図示しない高圧水供給用ポンプに連結されている。また、先端部には、高圧水を広げて噴射可能な多数個のノズルが備えられており、これにより、放射性ガスが吹き付けられた被洗浄物に向けて、高圧水を、シャワー的かつ間欠的に噴射可能としている。
【００５７】
なお、高圧水を間欠的に噴射する方法は特に限定はされないが、例えば、一定間隔に小さな貫通穴を設けた回転体を用いて、この回転体を高圧水の通過流路内に配置し、回転体を回転させつつ高圧水を供給するとよく、これにより、穴が高圧水の通過流路内に位置したときに高圧水を噴射することができ、従って間欠的に高圧水を噴射することが可能となる。
【００５８】
このように、本実施例の洗浄装置を用いることにより、前述した洗浄方法を実施することが可能となる。
【００５９】
なお、本実施例の洗浄装置は、前述した洗浄装置の実施例に加えて、更に高圧水噴射手段１１を付加した点に特徴を有しており、この高圧水噴射手段１２を除いた部分に関する構成、作用等は前述の洗浄装置の実施例と同様であるので、重複した説明は省略するとともに、同一部分には同一符号を付した。
【産業上の利用可能性】
【００６０】
本発明の洗浄方法及び洗浄装置は、蒸気を更に加熱して得られる亜臨界の放射性ガスを用いて、被洗浄物上に洗浄液の被膜を形成しつつ、この被膜を介して被洗浄物上に前記放射性ガスを吹き付け、これにより被洗浄物に付着した有機物やパーティクル等を除去可能としているために、液晶パネル製造、ＰＤＰパネル製造、有機ＥＬパネル製造、ＦＥＤパネル製造、プリント基板製造、半導体製造、フィルム製造、版製造その他電子機器部品等の製造工程のみならず、洗浄工程の全般に適用可能である。
【図面の簡単な説明】
【００６１】
【図１】本発明の洗浄方法の実施例を説明するためのフローチャートである。
【図２】本発明の洗浄装置の実施例の概念を説明するためのブロック図である。
【図３】本発明の洗浄装置の実施例に用いる放射性ガス生成手段を説明するための図である。
【図４】本発明の洗浄装置の実施例に用いるガス噴射手段を説明するための図である。
【図５】本発明の洗浄装置の実施例に用いるガス噴射手段と洗浄液供給手段の関係を説明するための図である。
【図６】本発明の洗浄装置の実施例の作用を説明するための図である。
【図７】本発明の洗浄方法の他の実施例を説明するためのフローチャートである。
【図８】本発明の洗浄装置の他の実施例の概念を説明するためのブロック図である。
【図９】本発明の洗浄装置の他の実施例の作用を説明するための図である。
【符号の説明】
【００６２】
１、１１    洗浄装置
２    放射性ガス生成手段
３    第１の加熱手段
４    第２の加熱手段
４０１    金属管
４０２    発熱体
４０３    ワークコイル
５    ガス噴射手段
６    洗浄液供給手段
７    被洗浄物
８    搬送手段
９    仕切り板
１０    洗浄液の被膜
１２    高圧水噴射手段
【図１】
2006026549.tif 000003
【図２】
2006026549.tif 000004
【図３】
2006026549.tif 000005
【図４】
2006026549.tif 000006
【図５】
2006026549.tif 000007
【図６】
2006026549.tif 000008
【図７】
2006026549.tif 000009
【図８】
2006026549.tif 000010
【図９】
2006026549.tif 000011